(57)【要約】【課題】簡易な構造により操作部へと放電される静電気を除去することにより、小型かつ安価なコストで静電気から電気部品を保護した情報表示装置の提供を目的とする。【解決手段】情報表示部２と、この情報表示部２に隣接する操作部３とを備え、情報表示部２と操作部３との間に、アースした針金７を介在させた情報表示装置であり、操作部３へと放電された静電気が情報表示部２に落ちる前に、これらの間に介在させた針金７へと落とし、この針金７のアースにより静電気を除去する。これにより、情報表示部２と操作部３との間の距離を縮めることができ、小型かつ安価なコストで静電気から電気部品を保護した情報表示装置が得られる。【選択図】図１
2005250218.tif 000002
【特許請求の範囲】
【請求項１】
情報表示部と、この情報表示部に隣接する操作部とを備え、前記情報表示部と操作部との間に、アースした導電性の線材を介在させた情報表示装置。
【請求項２】
前記線材は、前記情報表示部の回路部と同じ高さに設けたものである請求項１記載の情報表示装置。
【請求項３】
前記線材は、前記情報表示部または操作部の裏側の基板上に設けたものである請求項１または２に記載の情報表示装置。
【請求項４】
前記線材は、ばね性を有し、このばね性を利用して前記基板上の穴に固定するものである請求項３記載の情報表示装置。
【請求項５】
前記線材は、前記基板上の穴に固定される２つの柱状部と、これら２つの柱状部の上部に渡した橋部と、前記柱状部の一方の下部から前記橋部を渡した方向と直角方向に延びて前記基板上の穴に固定される腕部とからなるものである請求項３または４に記載の情報表示装置。
【発明の詳細な説明】
【技術分野】
【０００１】
本発明は、情報表示部に隣接して操作部を備えた電話装置やファクシミリ装置等の情報表示装置に関する。
【背景技術】
【０００２】
情報表示部に隣接して操作部を備えた電話装置やファクシミリ装置等の情報表示装置において、操作部の操作時に利用者の体に帯電した電位が静電気となり、操作部へと放電されることが問題となっている。操作部のキーが導電性の材料である場合、放電された静電気はキーを経由して、操作部内部の基板上に配置された電気部品へと飛び、電気部品を破壊する恐れがある。
【０００３】
そのため、従来、操作部のキーと基板上の電気部品の空間距離を十分に確保するようにしている。しかしながら、この操作部に隣接して液晶表示装置（以下、「ＬＣＤ」と称す。）を備えた情報表示装置では、十分な空間距離があるにも関わらず、キー表面に帯電した誘導電位により、キー近辺にあるＬＣＤの電位が不安定となり、リセット状態となることがある。
【０００４】
そこで、キー表面に帯電された電位を除去するためには、空間距離を十分に確保するだけでなく、キー表面のアースを取ったり、キー自体を完全にシールドしたりする必要がある。あるいは、例えば、（特許文献１）に記載のように、ＬＣＤ側のアースを取る方法もある。
【特許文献１】特開２００３−２７１０６４号公報
【発明の開示】
【発明が解決しようとする課題】
【０００５】
しかしながら、キー表面にアースを取っても、キー表面に落ちた高電圧の電位が基板上に落ちると、基板上の電気部品を破壊する恐れがある。また、キー自体を完全にシールドしようとすると、キー周囲に大がかりな壁とシールド板金を設置する必要があり、サイズが大きくなったり、構造が複雑になることによりコストが上がったりと、デメリットが大きい。
【０００６】
（特許文献１）に記載の方法でも、ＬＣＤの周縁に沿った形状のアース板金、アースされるアース板金、２つのアース板金を接続するアースビスやアース線など部品点数が多くなるため、構造が複雑となって、コスト増となるという問題がある。
【０００７】
そこで、本発明においては、簡易な構造により操作部へと放電される静電気を除去することにより、小型かつ安価なコストで静電気から電気部品を保護した情報表示装置を提供することを目的とする。
【課題を解決するための手段】
【０００８】
上記課題を解決するため、本発明の情報表示装置は、情報表示部と、この情報表示部に隣接する操作部とを備え、情報表示部と操作部との間に、アースした導電性の線材を介在させ、操作部へと放電された静電気が情報表示部に落ちる前に、これらの間に介在させた導電性の線材へと落とし、この導電性の線材のアースにより静電気を除去する構成としたものである。
【発明の効果】
【０００９】
本発明によれば、情報表示部と操作部との間に、アースした導電性の線材を介在させるという簡易な構造により、操作部へと放電される静電気を除去することが可能となり、情報表示部と操作部との間の距離を縮めることができ、小型かつ安価なコストで静電気から電気部品を保護した情報表示装置が得られる。
【発明を実施するための最良の形態】
【００１０】
本発明の第１の発明は、情報表示部と、この情報表示部に隣接する操作部とを備え、情報表示部と操作部との間に、アースした導電性の線材を介在させた情報表示装置であり、操作部へと放電された静電気が情報表示部に落ちる前に、これらの間に介在させた導電性の線材へと落とし、この導電性の線材のアースにより静電気を除去することができる。これにより、情報表示部と操作部との間に、アースした導電性の線材を介在させるという簡易な構造により、操作部へと放電される静電気を除去することが可能となり、情報表示部と操作部との間の距離を縮めることができ、小型かつ安価なコストで静電気から電気部品を保護した情報表示装置が得られる。
【００１１】
本発明の第２の発明は、上記線材は、情報表示部の回路部と同じ高さに設けたものである情報表示装置であり、操作部へと放電された静電気が情報表示部の回路部に落ちる前に、この情報表示部の回路部の直前で導電性の線材へと落とし、この導電性の線材のアースにより静電気を除去することができる。これにより、情報表示部の回路部と操作部との間に、アースした導電性の線材を介在させるという簡易な構造により、操作部へと放電される静電気を除去することが可能となり、情報表示部と操作部との間の距離を縮めることができ、小型かつ安価なコストで静電気から電気部品を保護した情報表示装置が得られる。
【００１２】
本発明の第３の発明は、上記線材は、情報表示部または操作部の裏側の基板上に設けたものである情報表示装置であり、基板上への電気部品の実装時に、この電気部品とともに上記線材を同時に実装することが可能となり、製造コストを下げてより安価な情報表示装置が得られる。
【００１３】
本発明の第４の発明は、上記線材は、ばね性を有し、このばね性を利用して基板上の穴に固定するものである情報表示装置であり、基板上への電気部品の実装時に、この電気部品とともに、線材をそのばね性により仮固定して同時に実装することが可能となり、製造コストを下げてより安価な情報表示装置が得られる。
【００１４】
本発明の第５の発明は、上記線材は、基板上の穴に固定される２つの柱状部と、これら２つの柱状部の上部に渡した橋部と、柱状部の一方の下部から橋部を渡した方向と直角方向に延びて基板上の穴に固定される腕部とからなるものである情報表示装置であり、所定の高さを有する橋部を支持する２つの柱状部と、橋部を渡した方向と直角方向に延びる腕部とにより、橋部を安定して情報表示部と操作部との間に介在させることができる。これにより、線材と情報表示部と操作部との間の距離を一定に保ち、より安定して操作部へと放電される静電気を除去することが可能となる。
【００１５】
（実施の形態１）
以下、本発明の実施の形態について、図面を参照して説明する。
【００１６】
図１は本発明の実施の形態における情報表示装置の情報表示部および操作部の概略構成を示す透視斜視図である。
【００１７】
図１に示すように、本発明の実施の形態における情報表示装置は、基板１上に、情報表示部２と、この情報表示部２に隣接する操作部３とを備える。情報表示部２は、ＬＣＤ４と、このＬＣＤ４の表示面を所定高さに保持するための脚部５とを備える。操作部３は、
ＬＣＤ４の表示面に対応する部分を開口した化粧パネル６上に設けられている。
【００１８】
また、本実施の形態における情報表示装置は、情報表示部２と操作部３との間に導電性の線材としての針金７を介在させている。針金７は、ばね性を有する１本の線材を折り曲げて形成したものである。針金７は、基板１上に設けられ、アースされている。
【００１９】
図２は基板１上への針金７の取り付け状態を示す斜視図である。
【００２０】
図２に示すように、針金７は２つの柱状部７ａ，７ｂと、柱状部７ａ，７ｂの上部に渡した橋部７ｃと、柱状部７ｂの下部から脚部７ｃを渡した方向と直角方向に延びた腕部７ｄとからなる。また、柱状部７ａ，７ｂの下端部および腕部７ｄの先端部には、基板１上に設けられた穴１ａ，１ｂ，１ｃにそれぞれ係合する鉤部８ａ，８ｂ，８ｃが形成されている。鉤部８ａ，８ｂは、それぞれ橋部７ｃの外側に向かって突出するように形成されている。鉤部８ｃは、腕部７ｄの先端に向かって突出するように形成されている。
【００２１】
このような針金７は、そのばね性を利用して柱状部７ａ，７ｂを互いに近づくように湾曲させた状態で、鉤部８ａ，８ｂを基板１上の穴１ａ，１ｂに挿入すると、そのばね性によって復元し、柱状部７ａ，７ｂが元の位置へと戻り、鉤部８ａ，８ｂが基板１上の穴１ａ，１ｂに係合して固定される。また、同様に、鉤部８ｃが鉤部８ｂに近づくように腕部７ｄを湾曲させた状態で、鉤部８ｃを基板１上の穴１ｃに挿入すると、そのばね性によって復元し、鉤部８ｃが基板１上の穴１ｃに係合して固定される。
【００２２】
針金７は、このように基板１上に固定された状態において、その橋部７ｃの高さが、情報表示部２のＬＣＤ４の周縁部に備えた回路部と同じ高さとなるように設定されている。これにより、操作部３の操作時に、利用者の手から操作部３へと放電された静電気が情報表示部２のＬＣＤ４の回路部に落ちる前に、この静電気をＬＣＤ４の回路部の直前で針金７へと落とし、この針金７のアースにより静電気を除去することができる。
【００２３】
このように、本実施の形態における情報表示装置では、情報表示部２のＬＣＤ４と操作部３との間に、アースした針金７を介在させるという簡易な構造により、操作部３へと放電される静電気を除去することが可能となる。これにより、情報表示部２と操作部３との間の距離を縮めることができ、小型かつ安価なコストで静電気から電気部品を保護した情報表示装置が得られる。
【００２４】
また、本実施の形態における情報表示装置では、針金７を上記構成により基板１上へ固定することにより、この針金７の橋部７ｃを安定して情報表示部２と操作部３との間に介在させることができる。これにより、針金７と情報表示部２と操作部３との間の距離を一定に保ち、より安定して操作部３へと放電される静電気を除去することが可能となる。
【００２５】
なお、本実施の形態における情報表示装置は、以下の工程により作業性良く製造することができる。図３は本実施の形態における情報表示装置の製造工程を示す概略斜視図である。
【００２６】
図３に示すように、本実施の形態における情報表示装置は、基板１上に針金７を固定してから、この基板１上へ情報表示部２を実装し、最後に操作部３を実装した化粧パネル６を固定することにより組み立てられる。
【００２７】
ここで、基板１上へ針金７を固定する際、まず、前述のようにそのばね性によって針金７を基板１の穴１ａ，１ｂ，１ｃに仮固定してから、半田付けを行うが、この半田付けをこの基板１上への他の電気部品９の実装と同時に行うことができる。より詳しくは、例え
ば、基板１上へ電気部品９を実装する際、基板１上へ電気部品９を仮固定し、ディップ槽にて半田付けを行うが、このとき他の電気部品９とともに針金７を基板１上へ仮固定し、ディップ槽にて同時に半田付けを行うようにする。
【００２８】
このように、本実施の形態における情報表示装置では、基板１上への電気部品９の実装時に、この電気部品９とともに針金７を同時に実装することが可能である。これにより、製造コストを下げてより安価な情報表示装置が得られる。また、針金７の固定は、そのばね性により基板１上の穴１ａ，１ｂ，１ｃに仮固定してから行うことにより、作業性良く行える。
【産業上の利用可能性】
【００２９】
本発明の情報表示装置は、情報表示部に隣接して操作部を備えた電話装置やファクシミリ装置等として有用であり、特に、情報表示部と操作部との間に、アースした導電性の線材を介在させるという簡易な構造により、操作部へと放電される静電気を除去することが可能な情報表示装置として好適である。
【図面の簡単な説明】
【００３０】
【図１】本発明の実施の形態における情報表示装置の情報表示部および操作部の概略構成を示す透視斜視図
【図２】基板上への針金の取り付け状態を示す斜視図
【図３】本実施の形態における情報表示装置の製造工程を示す概略斜視図
【符号の説明】
【００３１】
１    基板
１ａ，１ｂ，１ｃ    穴
２    情報表示部
３    操作部
４    ＬＣＤ
５    脚部
６    化粧パネル
７    針金
７ａ，７ｂ    柱状部
７ｃ    橋部
７ｄ    腕部
８ａ，８ｂ，８ｃ    鉤部
９    電気部品
【図１】
2005250218.tif 000003
【図２】
2005250218.tif 000004
【図３】
2005250218.tif 000005